(57)【要約】【課題】排紙用空間部に後処理装置等を配置するに際して正確な取付位置に確実に後処理装置等を取り付けることができるようにする。【解決手段】画像形成部Ｂと画像読取部Ｃの間に配置されると共に、印刷された用紙が排出される排紙口４１１が開設され、排紙口４１１から排紙された用紙を収納する用紙収納部Ｄが配置される排紙用空間部を具備した画像形成装置において、  前記排紙用空間部に、ステイプラーＦ、反転ユニットＲを排紙口４１１近傍に位置決めして且つ着脱可能に配置する決固定部材Ｂｋを備えた。【選択図】図１１
2010072024.tif 000002
【特許請求の範囲】
【請求項１】
画像形成部と画像読取部の間に配置されると共に、印刷された用紙が排出される排紙口が開設され、該排紙口から排紙された用紙を収納する用紙収納部が配置される排紙用空間部を具備した画像形成装置において、
前記排紙用空間部に、１又は複数の後処理装置及び中継装置のうちから選択した少なくとも１つの装置を前記排紙口近傍に位置決めして且つ着脱可能に配置する位置決固定手段を備えたことを特徴とする画像形成装置。
【請求項２】
前記中継装置は用紙を下流に搬送する搬送経路と、前記用紙の反転時に用紙を受け入れる反転経路とを備えることを特徴とする請求項１記載の画像形成装置。
【請求項３】
前記位置決固定手段は、前記後処理装置及び前記中継装置のいずれにも設置できるものであり、画像形成装置本体と前記後処理装置又は前記中継装置を前記排紙口近傍において位置決めして接続することができることを特徴とする請求項１又は２記載の画像形成装置。
【請求項４】
前記位置決固定手段は、用紙の搬送方向と交わる方向に配置されたピンを備え、前記ピンと画像形成装置本体に開設された位置決穴に勘合して取り付けられる後処理装置及び中家装置の搬送方向の位置決めを行うことを特徴とする請求項１乃至３のいずれか記載の画像形成装置。
【請求項５】
前記後処理装置は、用紙に穿孔するパンチ装置であることを特徴とする請求項１乃至４のいずれか記載の画像形成装置。
【請求項６】
前記位置決固定手段は、熱伝導率の高い金属部材で板状形状に形成され、前記画像形成装置と接続したとき前記画像形成部から排出される排熱気流を遮断する構成を備えることを特徴とする請求項１乃至５のいずれか記載の画像形成装置。
【請求項７】
前記後処理装置又は前記中継装置の前記位置決固定手段で画像形成装置本体に接続される接続部近傍には、前記後処理装置又は前記中継手段を冷却する冷却手段が配置されていることを特徴とする請求項１乃至６のいずれか記載の画像形成装置。
【発明の詳細な説明】
【技術分野】
【０００１】
本発明は、画像形成装置に係り、特に画像形成部と画像読取部の間に配置されると共に、印刷された用紙が排出される排紙口が開設され、該排紙口から排紙された用紙を収納する排紙用空間部を具備した画像形成装置に関する。
【背景技術】
【０００２】
近年、画像形成装置である例えば複写機では、画像が形成された転写紙を載置する排紙トレイを、装置本体の側面から突出させずに、それを装置本体内の転写紙を外部から取り出し可能な位置の排紙用空間部に設けることにより、省スペース化が図られている。
【０００３】
また、省スペース化の観点から、画像形成装置の横に並置されていたステイプラーやスタッカーなどの後処理装置を前記の排紙用空間に設けることも提案されている。上述のように排紙用空間部に後処理装置等を配置する技術として以下のものがある。
【０００４】
特許文献１には、画像形成装置の装置内排紙部に、排出されて積載された最上位の転写紙の紙面の位置を検知する転写紙積載位置検知手段と、転写紙を載置するトレイ面が該転写紙の積載方向に変位するように移動可能な可動排紙トレイと、該可動排紙トレイを前記トレイ面が前記積載方向に変位するように移動させる可動排紙トレイ移動手段とを設けると共に、前記転写紙積載位置検知手段が検知する転写紙の積載位置に応じて前記可動排紙トレイ移動手段を駆動させて前記可動排紙トレイを最上位の転写紙の紙面の位置と前記スキャナ部の下面との間に転写紙を取り出す空間を形成しながら転写紙の積載に適した位置に移動させる可動排紙トレイ移動制御手段を設けたものが記載されている。
【０００５】
また特許文献２には、画像形成装置の排紙用空間の内側面には用紙を排出する排出口が形成され、排紙用空間の内底面には排出された用紙を積重する排紙トレイが形成され、前記排紙トレイが、排紙方向前側に形成された水平部と、前記排出口の直下が最も低く、そこから排紙方向に向かって上方へ傾斜して前記水平部に繋がる傾斜部とを有する画像形成装置において、前記排紙トレイの傾斜部に着脱可能に取り付けられ、前記傾斜部の傾斜角度を調整する補助トレイを更に備えたものが記載されている。
【特許文献１】特許第３８９８３５８号公報
【特許文献２】特開２００７−３０８２１１公報
【発明の開示】
【発明が解決しようとする課題】
【０００６】
このような、排紙用の空間にはオプションとして後処理装置等を取り付けることが好適であるが、このような後処理装置を画像形成装置から最初に用紙を受け取る装置の用紙受け入れ口と画像形成装置の排紙部との位置のズレが小さくなるように、用紙の受け渡しを行う排紙口近傍で位置決めして接続する必要がある。
【０００７】
本発明は、排紙用空間部に後処理装置等を配置するに際して正確な取付位置に確実に後処理装置等を取り付けることができる画像形成装置を提供することを目的とする。
【課題を解決するための手段】
【０００８】
請求項１の発明は、画像形成部と画像読取部の間に配置されると共に、印刷された用紙が排出される排紙口が開設され、該排紙口から排紙された用紙を収納する用紙収納部が配置される排紙用空間部を具備した画像形成装置において、前記空間部に、後処理装置及び中継装置のうち少なくとも１つの装置を前記排出口近傍に位置決めして且つ着脱可能に配置する位置決固定手段を備えたことを特徴とする画像形成装置である。
【０００９】
請求項２の発明は、請求項１記載の画像形成装置において、前記中継装置は用紙を下流に搬送する搬送経路と、前記用紙の反転時に用紙を受け入れる反転経路とを備えることを特徴とする。
【００１０】
請求項３の発明は、請求項１又は２記載の画像形成装置において、前記位置決固定手段は、前記後処理装置及び前記中継装置のいずれにも設置できるものであり、画像形成装置本体と前記後処理装置又は前記中継装置を前記排紙口近傍において位置決めして接続することができることを特徴とする。
【００１１】
請求項４の発明は、請求項１乃至３のいずれか記載の画像形成装置において、前記位置決固定手段は、用紙の搬送方向と交わる方向に配置されたピンを備え、前記ピンと画像形成装置本体に開設された位置決穴に勘合して取り付けられる後処理装置及び中家装置の搬送方向の位置決めを行うことを特徴とする。
【００１２】
請求項５の発明は、請求項１乃至４のいずれか記載の画像形成装置において、前記後処理装置は、用紙に穿孔するパンチ装置であることを特徴とする。
【００１３】
請求項６の発明は、請求項１乃至５のいずれか画像形成装置において、前記位置決固定手段は、熱伝導率の高い金属部材で板状形状に形成され、前記画像形成装置と接続したとき前記画像形成部から排出される排熱気流を遮断する構成を備えることを特徴とする。
【００１４】
請求項７の発明は、請求項１乃至６のいずれか記載の画像形成装置において、請求項１において、前記後処理装置又は前記中継装置の前記位置決固定手段で画像形成装置本体に接続される接続部近傍には、前記後処理装置又は前記中継手段を冷却する冷却手段が配置されていることを特徴とする。
【発明の効果】
【００１５】
本発明に係る画像形成装置によれば、画像形成部と画像読取部の間に配置された排紙用空間部に後処理装置や中継装置を装着するに際して、前記排出口近傍に位置決めして且つ着脱可能に配置する位置決固定手段を使用するから、後処理装置や中継装置を簡単且つ正確に装着でき、またユーザの要望にあわせて必要な構成のみ装着ができ、更に耐久面に優れた画像形成装置を提供することができる。
【発明を実施するための最良の形態】
【００１６】
以下本発明を実施するための最良の形態としての実施例を図面に基づいて説明する。
【実施例】
【００１７】
以下本発明に係る画像形成装置の実施例を図面に基づいて説明する。本例に係る画像形成装置は、画像を読取り、読取った画像を用紙に印刷して排出する画像形成装置に、排出用紙に綴じ、揃え、パンチなどの後処理を施す後処理装置を取り付けることがでるものである。
【００１８】
まず、画像形成装置の基本的な構成、動作、作用を説明する。図１は画像形成装置の外観の構成を示す正面図である。画像形成装置１００は格納した印刷用紙を供給する給紙部Ａと、供給された用紙に所定の印刷を行う画像形成部Ｂと、原稿を読取る画像読取部Ｃとから構成されており、画像読取部Ｃの下部には画像形成部Ｂで印刷された用紙を収納する排紙用空間である用紙収納部Ｄが形成されており、用紙収納部Ｄには用紙を積載する積載手段Ｄ−１が具備されている。
【００１９】
図２は画像形成装置の用紙搬送路を示す模式図である。画像形成装置１００の搬送手段である用紙搬送経路には搬送ローラ対１，２，５，７，８，９と用紙に画像を印刷する印刷手段３、用紙収納部Ｄの積載手段Ｄ−１上へ用紙を排出する排紙ローラ対４、用紙を反転させるときに正逆方向に回転する反転ローラ対６、更に用紙搬送路を切り替える切り替え手段ｔ１〜ｔ３が配置されている。本例では、印刷手段３としては公知の電子写真方式の印刷装置を使用している。
【００２０】
画像形成装置１００の印字動作について説明する。まず用紙の片面に画像を印刷するときの動作について説明する。図３は片面印刷時の画像形成装置を示すものであり、（ａ）、（ｂ）は各過程での用紙の動きを示す模式図である。まず、外部もしくは画像読取部Ｃから画像情報を取得し、図３（ａ）に示すように、給紙部Ａの用紙束Ｓから用紙Ｓ１を画像形成部Ｂへ搬送し、搬送ローラ対１，２で用紙を搬送し、印刷手段３で画像情報を基に印刷処理を行う。次いで図３（ｂ）に示すように片面に画像を印刷された用紙Ｓ１は切り替え手段ｔ１により排紙経路に送られ、排紙ローラ対４にて用紙収納部Ｄの積載手段Ｄ−１上へ排出される。
【００２１】
次に用紙の両面に画像を印刷するときの動作について説明する。図４は両面印刷時の画像形成装置を示すものであり、（ａ）〜（ｅ）は各過程での用紙の動きを示す模式図である。図４（ａ）に示すように給紙部Ａの用紙束Ｓから搬送されてきた用紙Ｓ１に画像形成部Ｂ内の印刷手段３にて画像を印刷し、その後切り替え手段ｔ１によって縦搬送路へ送る。次いで、図４（ｂ）に示すように搬送ローラ対５を経て切り替え手段ｔ２によって用紙Ｓ１を反転経路へ搬送する。用紙Ｓ１は反転ローラ対６にて搬送され続けるが、図４（ｃ）に示すように用紙Ｓ１の後端が切り替え手段ｔ２を通過すると、切り替え手段ｔ２が切り替わり、図４（ｄ）に示すように反転ローラ対６が逆転して用紙Ｓ１をスイッチバックし、右搬送路に搬送し始める。
【００２２】
その後切り替え手段ｔ３で縦反転経路へ搬送し、そのまま用紙を搬送ローラ対７，８，９で搬送し続け、再び搬送ローラ対２を経て図４（ｅ）に示すように印刷手段３でもう一方の面に印刷を行う。その後、用紙は切り替え手段ｔ１により排紙経路に送られ、排紙ローラ対４にて用紙収納部Ｄの積載手段Ｄ−１上へ排出される。
【００２３】
次に第２の実施例に係る画像形成装置２００として、画像形成装置本体に画像形成装置本体とし、これに右排紙ユニットＥ及び増設排紙ユニットＤ−２を装着した場合について説明する。なお、以下画像形装置本体は前記画像形成装置１００と同様の構成を備えるものである。図５は第２実施例の画像形成装置を示すものであり（ａ）〜（ｃ）は右排紙ユニットを備える場合の用紙の動きを示す模式図、（ｃ）は更に増設排紙ユニットを配置した場合を示す模式図である。
【００２４】
まず、図５（ａ）に示すように、画像形成装置２００は、画像形成装置本体に右排紙ユニットＥが設置されている。給紙部Ａの用紙束Ｓから搬送されてきた用紙Ｓ１に画像形成部Ｂ内の印刷手段３にて画像を印刷された用紙Ｓ１は、切り替え手段ｔ１により縦搬送路へ送られ、搬送ローラ対５を経て切り替え手段ｔ２によって反転経路へ一旦搬送される。用紙は反転ローラ対６にて搬送され続けるが、図５（ｂ）に示すように用紙Ｓ１の後端が切り替え手段ｔ２を通過すると、切り替え手段ｔ２が切り替わり、更に反転ローラ対６が逆転して用紙Ｓ１をスイッチバックして右搬送路に搬送し始める、そして図５（ｃ）に示すように切り替え手段ｔ３を経て右排紙ユニットＥの排紙ローラ１０によって右排紙トレイ上に画像面を下にした状態で順次積載される。
【００２５】
画像形成装置２００は、画像形成装置本体に後処理装置として、図５（ｄ）に示すように、増設排紙ユニットＤ−２を増設することができる。この増設排紙ユニットは用紙収納部Ｄに着脱可能に配置する位置決固定手段で取り付けられるものである。この位置決固定手段は、用紙の搬送方向と交わる方向に配置されたピンを備え、前記ピンと画像形成装置本体に開設された位置決穴に勘合して取り付けられる後処理装置及び中家装置の搬送方向の位置決めを行うものである。
【００２６】
増設排紙ユニットＤ−２には排紙ローラ対１３と積載手段が具備されており、増設排紙ユニットＤ−２は画像形成装置の用紙収納部Ｄの反転ローラ対６の下流に増設される。これにより両面印刷時、右トレイ排出時に用紙を反転する際には、反転ローラ対６と排紙ローラ対１３が同じ動作をして、用紙を積載手段上で受けることにより反転が可能となる。また、排紙先を増設排紙ユニットＤ−２とすることにより、通常の排紙先である積載手段Ｄ−１とは別の排紙先として増設排紙ユニットＤ−２を設定し使用することができる。
【００２７】
次に第３の実施例の画像形成装置３００について説明する。この画像形成装置３００は画像形成装置本体に中継装置及び後処理装置を装着したものである。図６は第３の実施例に係る画像形成装置の示すものであり、（ａ）、（ｂ）は積載手段の取り外し状態を示す模式図、（ｃ）は反転ユニットを装着した場合を示す模式図、（ｄ）は反転ユニットと後処理装置の装着した場合を示す模式図である。
【００２８】
画像形成装置３００は、図６（ａ）に示すように用紙収納部Ｄの積載手段Ｄ−１を取り外すことができ、用紙収納部Ｄの空間を最大限に確保することができる。そしてこの空間には用紙に後処理を行う後処理装置を装着することができる。本例では、積載手段Ｄ−１は画像形成部Ｂの内部を覆うカバーの役目もなしているため、積載手段Ｄ−１を取り外した後には図６（ｂ）に示すように仕切り板Ｄ−３で覆うことにより、画像形成部Ｂの内部を保護する。
【００２９】
次に画像形成装置本体に後処理装置としてステイプラーＦ装着する場合について説明する。ステイプラーＦを用紙収納部Ｄの空間に装着するためには、図６（ｃ）に示すように用紙の反転時に画像形成装置の反転ローラ対６から出てくる用紙を受け入れてガイドする反転ユニットＲを装着して、用紙収納部Ｄの空間が後処理装置で塞がれても、用紙の反転動作を妨げないようにし、その後に後処理装置としてステイプラーＦを反転ユニットＲの下流に装着する（図６（ｄ）参照）。反転ユニットＲは前記位置決固定手段で画像形成装置本体に取り付けられ、ステイプラーＦは前記位置決固定手段で前記反転ユニットＲに固定される。
【００３０】
ここで、反転ユニットＲは二つの搬送路を持ち、それぞれの搬送路への切り替えは切り替え手段ｔ４で行う。また搬送路には搬送手段である搬送ローラ対１１、１２を具備して用紙の搬送をサポートする。
【００３１】
ここでステイプラーＦは搬送路、搬送手段、整合手段、綴じ手段、積載手段など公知の処理手段を具備しており、印刷された用紙に対しての後処理を行うものである。後処理装置としてはステイプラーの他スタッカーその他の装置を使用することができる。
【００３２】
図７は片面印刷時における画像形装置を示すものであり、（ａ）〜（ｃ）は各過程における用紙の動きを示す模式図である。図７（ａ）に示すように画像形成部Ｂ内の印刷手段３で画像を印刷された用紙Ｓ１は、切り替え手段ｔ１、ｔ２によって、反転経路へガイドされながら搬送ローラ対５と反転ローラ対６によって搬送され、そのまま反転せずに反転ユニットＲ内へ搬送される。次に図７（ｂ）に示すように反転ユニット内の切り替え手段ｔ４と搬送ローラ対１１によってステイプラーＦへ搬送され、図７（ｃ）に示すように後処理をされた後に積載手段上へ積載される。
【００３３】
図８は両面印刷時における画像形成装置を示すものであり、（ａ）〜（ｅ）は各過程での用紙の動きを示す模式図である。図８（ａ）に示すように画像形成部Ｂ内の印刷手段３で画像を印刷された用紙Ｓ１は、切り替え手段ｔ１、ｔ２によって、反転経路へガイドされながら搬送ローラ対５と反転ローラ対６によって搬送され、図８（ｂ）に示すように反転ユニットＲ内へ搬送される。このとき、反転ユニットＲの切り替え手段ｔ４によってステイプラーＦへの搬送路とは別の反転経路内へ搬送される。そして用紙Ｓ１の後端が切り替え手段ｔ２を通過すると、切り替え手段ｔ２が切り替わり、更に反転ローラ対６が逆転し、図８（ｃ）に示すように用紙Ｓ１をスイッチバックして画像形成部Ｂ内の右搬送路、縦反転経路へ用紙を搬送する。その後は図８（ｄ）に示すように、印刷手段３でもう一方の印刷を行い、図８（ｅ）に示すように再び反転ユニットＲに搬送され、切り替え手段ｔ４が切り替わって用紙Ｓ１をステイプラーＦ内へ搬送する。
【００３４】
右排紙ユニットＥを装着したとき、用紙は図８（ａ）、８（ｂ）、８（ｆ）に示すように移動する。両面印刷時と同じく図８（ａ）、８（ｂ）に示すように、画像形成部Ｂ内の印刷手段３にて画像を印刷された用紙Ｓ１は、切り替え手段ｔ１、搬送ローラ対５、切り替え手段ｔ２を経て反転ローラ対６によって反転ユニットＲ内の反転経路内へ搬送される。そして用紙Ｓ１の後端が切り替え手段ｔ２を通過すると、切り替え手段ｔ２が切り替わり、更に反転ローラ対６が逆転して、図８（ｆ）に示すように用紙をスイッチバックして画像形成部Ｂ内の右搬送路へ搬送され、切り替え手段ｔ３を経て右排紙ユニットの排紙ローラ１０によって右排紙トレイ上に画像面を下にした状態で順次積載される。
【００３５】
次に、第３の実施例に係る画像形成装置４００について説明する。図９は第３の実施例に係る画像形成装置本体の搬送経路を示す模式図である。本例に係る画像形成装置４００の画像形成装置本体４１０には右排紙ユニットＥが配置されている他、搬送ローラ対１，２、印刷手段３、排紙ローラ対４、搬送ローラ対５、反転ローラ対６、搬送ローラ対７，８，９、排紙ローラ１０、搬送ローラ対１１、排紙ローラ対１３が配置されている。本例では、画像形成装置本体４１０からは、用紙収納部Ｄの積載手段を取り外すことができ、この空間には用紙に後処理を行う後処理装置を装着することができる。
【００３６】
が
以下、画像形成装置４００に配置する後処理装置について説明する。本例は、後処理装置として、画像形成装置４００の用紙収納部Ｄに、用紙の整合処理、綴じ処理、積載などを行うステイプラーＦ、パンチユニットＰ、用紙を下流側へ搬送する中継装置として用紙反転時に反転する用紙を受け入れる反転経路を備えた反転ユニットＲなどを設置する場合である。図１０は後処理装置を示す模式図、図１１はステイプラー及び反転ユニットを備える画像形装置を示す分解斜視図、図１２はステイプラー、パンチユニット及び反転ユニットを備える画像形装置の分解斜視図である。
【００３７】
本例では、画像形成装置に設置する後処理装置は、使用者が必要に応じて選択することができる。即ち、使用者は、後処理装置として、ステイプラーＦと反転ユニットＲとの組み合わせ、ステイプラーＦと反転ユニットＲとパンチユニットＰの組み合わせ等を選択することができる。
【００３８】
以下ステイプラーＦと反転ユニットＲとを組み合わせて設置する場合について説明する。本例では反転ユニットＲにはパンチユニットＰ及び位置決固定部材Ｂｋが取り付けられ、位置決固定部材Ｂｋが画像形成装置本体４１０の用紙収納部Ｄに取り付けられ組み付けされる。位置決固定部材Ｂｋは、用紙収容部の排紙口４１１に合わせて開設された開口５０２を備えた平板部５０１と、この平板部５０１に立設された立設部５０３とで略Ｌ字型に形成され、立設部５０４には２本の位置決ピン５０４，５０５が立設されている。この位置決ピン５０４，５０５は、用紙の搬送方向に直交する方向に配置される。位置決固定部材Ｂｋが配置された反転ユニットＲは前記位置決ピン５０４，５０５を排紙口近傍に形成された位置決穴Ｈ−１、Ｈ−２に挿入することにより位置決めさら接続される。
【００３９】
次にステイプラーＦと反転ユニットＲとパンチユニットＰを組み合わせて設置する場合について説明する。この場合には、図１２に示すように用紙搬送の上流側から反転ユニットＲ、パンチユニットＰ、ステイプラーＦの順に配置する（図中Ｉ）ことができる他、パンチユニットＰ、反転ユニットＲ、ステイプラーＦの順に配置することができる。Ｉの場合には反転ユニットＲに位置決固定部材ＢｋとパンチユニットＰを取り付け、その状態で用紙収納部Ｄの奥側の排紙口近傍の位置決穴Ｈ−１，Ｈ−２に位置決固定部材Ｂｋの位置決めピンを挿入して位置決めして接続し、更にステイプラーＦをパンチユニットＰに設置すればよい。位置決固定部材Ｂｋ、反転ユニットＲ、パンチユニットＰ、ステイプラーＦの固定順序は上記に限らず任意に行うことができる。また、ＩＩの場合も同様に取り付けることができる。
【００４０】
このように、本例では、さまざまなユニットの組み合わせに対しても最上流側のユニットは用紙を受け入れる位置に対して正しい位置に接続することができ、下流のユニットは上流のユニットに対して位置決めされることとなり、上流のユニットから用紙を受け入れる位置が正確な位置になるように接続することができる。これにより常に上流から下流への用紙の受け渡しが、より正確な位置で行われることとなる。また、位置決固定部材Ｂｋには板状の平板部を備えるので、画像形成装置内部の温度の高い気流を遮断することができる。これにより後処理装置の各ユニットへ温度の高い気流が直接当たるのを防止できる。
【００４１】
次に第４の実施例に係る画像形成装置６００について説明する。図１３は第４の実施例に係る画像形成装置の概略構造を示す分解斜視図である。本例に係る６００は、後処理装置等として、位置決固定部材ＢｋでパンチユニットＰ、反転ユニットＲ、ステイプラーＦが配置されている。また、本例では画像形成装置本体６１０のうち、位置決固定部材Ｂｋが取り付けられる部分の近傍に、ファンや放熱板などの放熱手段Ｇを設けられており、放熱された空気の気流が後処理装置に直接当たらない向きに配置されている。本例によれば、位置決固定部材Ｂｋ温度が上がってもその熱を効率よく外部へ放熱することができ、接続される後処理装置や中継装置の温度上昇を防止することができる。
【図面の簡単な説明】
【００４２】
【図１】画像形成装置の外観の構成を示す正面図である。
【図２】画像形成装置の用紙搬送路を示す模式図である。
【図３】片面印刷時の画像形成装置を示すものであり、（ａ）、（ｂ）は各過程での用紙の動きを示す模式図である。
【図４】両面印刷時の画像形成装置を示すものであり、（ａ）〜（ｅ）は各過程での用紙の動きを示す模式図である。
【図５】第２実施例の画像形成装置を示すものであり（ａ）〜（ｃ）は右排紙ユニットを備える場合の用紙の動きを示す模式図、（ｃ）は更に増設排紙ユニットを配置した場合を示す模式図である。
【図６】第３の実施例に係る画像形成装置の示すものであり、（ａ）、（ｂ）は積載手段の取り外し状態を示す模式図、（ｃ）は反転ユニットを装着した場合を示す模式図、（ｄ）は反転ユニットと後処理装置の装着した場合を示す模式図である。
【図７】片面印刷時における画像形装置を示すものであり、（ａ）〜（ｃ）は各過程での用紙の動きを示す模式図である。
【図８】両面印刷時における画像形成装置を示すものであり、（ａ）〜（ｅ）は各過程での用紙の動きを示す模式図である。
【図９】第３の実施例に係る画像形成装置本体の搬送経路を示す模式図である。
【図１０】後処理装置を示す模式図である
【図１１】ステイプラー及び反転ユニットを備える画像形装置を示す分解斜視図である。
【図１２】ステイプラー、パンチユニット及び反転ユニットを備える画像形装置の分解斜視図である。
【図１３】第４の実施例に係る画像形成装置の概略構造を示す分解斜視図である。
【符号の説明】
【００４３】
１，２，５，７，８，９  搬送ローラ対
３  印刷手段
４  排紙ローラ対
１０  排紙ローラ
１１、１２  搬送ローラ対
１３  排紙ローラ対
１００  画像形成装置
２００  画像形成装置
３００  画像形成装置
４００  画像形成装置
４１０  画像形成装置本体
４１１  排紙口
５０１  平板部
５０２  開口
５０３  立設部
５０４，５０５  位置決ピン
６００  画像形成装置
６１０  画像形成装置本体
Ａ  給紙部
Ｂ  画像形成部
Ｂｋ  位置決固定部材（位置決固定手段）
Ｃ  画像読取部
Ｄ  用紙収納部
Ｄ−１  積載手段
Ｄ−２  増設排紙ユニット
Ｄ−３  仕切り板
Ｅ  右排紙ユニット
Ｆ  ステイプラー（後処理装置）
Ｇ  放熱手段
Ｈ−１，Ｈ２  位置決穴
Ｐ  パンチユニット（後処理装置）
Ｒ  反転ユニット（中継装置）
【図１】
2010072024.tif 000003
【図２】
2010072024.tif 000004
【図３】
2010072024.tif 000005
【図４】
2010072024.tif 000006
【図５】
2010072024.tif 000007
【図６】
2010072024.tif 000008
【図７】
2010072024.tif 000009
【図８】
2010072024.tif 000010
【図９】
2010072024.tif 000011
【図１０】
2010072024.tif 000012
【図１１】
2010072024.tif 000013
【図１２】
2010072024.tif 000014
【図１３】
2010072024.tif 000015